(57)【特許請求の範囲】
【請求項１】
ビル形式の集合住宅等における排水管の洗浄に用いられるホース引上げ装置であって、
基台と、前記基台の前端部に取り付けられた第１のローラと、前記基台の上面に設けられた回転可能に軸支されたドラムと、前記ドラムに接続し、前記ドラムを正逆回転可能に、かつ所定の速度で回転させるモータと、前記基台の後端部に取り付けられた第２のローラとを備えることを特徴とするホース引上げ装置。
【請求項２】
前記第１、２のローラは、周面が凹曲面あるいはＶ字形状の面に形成されたローラ本体と、前記ローラ本体を軸支する軸支部材と、前記軸支部材が設けられた基体と、前記基体を基台に固定する固定部材と、前記ローラ本体の前方に突出したホース位置規制部材とを備えていることを特徴とする請求項１に記載されたホース引上げ装置。
【請求項３】
ホースの先端に回転可能なノズル本体が装着され、前記ノズル本体が２０ｍｍ／秒乃至１００ｍｍ／秒の範囲の速度をもって、引上げられることを特徴とする請求項１または請求項２に記載されたホース引上げ装置。
【請求項４】
前記請求項１または請求項２に記載されたホース引上げ装置を用いた排水管洗浄装置であって、
ホース引上げ装置により引上げられるホースと、前記ホースの先端に装着された高圧水を噴射するノズル本体とを備えたことを特徴とするホース引上げ装置を用いた排水管の洗浄装置。
【請求項５】
前記請求項１または請求項２に記載されたホース引上げ装置を用いた排水管洗浄装置であって、
ホースの先端に装着された、回転しながら高圧水を噴射するノズル本体と、前記ノズル本体が一端に接続されるロータリージョイントと、高圧水をノズル本体に供給すると共に、ホース引上げ装置により引上げられるホースとを備え、
ホースの先端に装着されたノズル本体が９０ｒｐｍ乃至３００ｒｐｍの範囲で回転可能に構成されると共に、前記ホース引上げ装置によりノズル本体が２０ｍｍ／秒乃至１００ｍｍ／秒の範囲で移動可能に構成されていることを特徴とするホース引上げ装置を用いた排水管の洗浄装置。
【請求項６】
前記請求項５に記載された排水管の洗浄装置の洗浄方法であって、
ホースの先端に装着されたノズル本体を９０ｒｐｍ乃至３００ｒｐｍの範囲で回転させると共に、前記ホース引上げ装置によってノズル本体を２０ｍｍ／秒乃至１００ｍｍ／秒の範囲で移動させながら、ノズル本体から高圧水を噴射し、排水管を洗浄することを特徴とする排水管の洗浄方法。
【発明の詳細な説明】
【０００１】
【発明の属する技術分野】
本発明は集合住宅等の排水管を洗浄する際、用いられるホースの引上げ装置及びホース引上げ装置を用いた排水管洗浄装置、並びに排水管の洗浄方法に関し、特に、高圧水噴射洗浄法において用いられるホース引上げ装置及びホース引上げ装置を用いた排水管洗浄装置、並びに排水管の洗浄方法に関する。
【０００２】
【従来の技術】
近年、土地の有効活用等の理由から、ビル形式の集合住宅等が多く建てられ、しかも高層化、超高層化している。このビル形式の集合住宅等からの生活排水（汚水）は、個別住宅からビル内部に設けられた共用排水管を介して、外部の排水管に排出され、良好な生活環境が維持されるようになされている。
しかしながら、この生活排水（汚水）には多量の残渣、油脂等が含まれているため、残渣、油脂等が入り交じって共用排水管の管壁に固形物になって付着し、排水管を閉塞することがある。また、この固形物から悪臭が放され、生活環境を悪化させることがある。
このような生活環境の悪化を防止し、良好な生活環境を維持するため、一定期間ごとに共用排水管の清掃が必要となる。
【０００３】
従来このように排水管内に付着した固形物を洗浄する（除去する）一つの方法として、高圧水噴射洗浄法（以下、高圧洗浄法という）がある。この高圧洗浄法は、ホースの先端に設けられたノズルから排水管内に付着した固形物に向けて、高圧の水を噴射し、前記固形物を除去するものである。
【０００４】
次に、図７に基づいて、ビル形式の集合住宅などにおける高圧洗浄法による排水管の洗浄手順について説明する。
まず、先端に高圧の水あるいは温水を噴射するノズル１が取り付けられたホース２を排水管３内に入れ、ビルの屋上Ａから前記排水管３の最下部まで降ろす。その後、前記ノズル１から高圧の水、あるいは温水を噴射しながら、ホース２を引き上げる。この引き上げ速度が早過ぎる場合には、洗浄が不十分となるため、ゆっくりと引き上げる。そして、前記ノズル１がビルの屋上Ａ近傍まで引き上げられたら、ノズル１から高圧の前記水、あるいは温水を噴射しながら、ホースをゆっくりと再び降す。排水管３の最下部までこの洗浄状態を維持し、ノズル１が最下部まで降されたら、洗浄を終了する。洗浄終了後、ホース２を引き上げ、作業を終了する。
【０００５】
また、ビルの屋上Ａに排水管３の開口部３ａが設けられているほか、図８に示すように排水管３の途中に開口部３ｂが設けられている場合がある。特に、高層化、超高層化したビルにあっては、ビルの屋上Ａからの作業では長いホースが必要となるばかりでなく、作業が困難になる。
それを回避するため、排水管３の途中に設けられた開口部３ｂからホースを挿入し、洗浄作業を行うようになされている。この場合においても、開口部３ｂからノズル１が設けられたホース２を降ろし、前記ビルの屋上Ａからの洗浄方法と同様な手順により排水管の洗浄が行われる。
【０００６】
【発明が解決しようとする課題】
ところで、上記洗浄方法によれば、１つの排水管に対して、ノズルを上昇させながら洗浄した後、再び下降させながら洗浄するものであるため、ノズルが設けられたホースを２度上げ、下げする必要がある。
この作業は人手で行なわれ、非常に労力を使う作業であった。特に、今日の高層化、超高層化した集合住宅での作業はホースの長さも増し、それに伴い上げ下げするホースの重量も増大するため、かなりの重労働であった。また、人手作業によるため、引き上げ速度、引き下げ速度を一定にすることが困難であり、とかく早い速度で引き上げ引き下げを行いがちになり、十分な洗浄ができないという技術的課題があった。
【０００７】
これを解決する方法として、ウインチ等を用いたホース巻取り装置を使用することが考えられる。
しかしながら、ホースが巻取り装置に巻き取られるにしたがって、巻取り部の径が変化し、それに伴いホースの引き上げ速度、引き下げ速度が変化する。そのため、引き上げ速度、引き下げ速度を一定に保つことができず、前記した排水管の不十分な洗浄の問題を解決できるものではなかった。また集合住宅が高層化、超高層化するにつれてホースが長くなり、巻取り装置も大型化するという新たな問題が生じた。このように、ウインチ等を備えたホース巻取り装置を用いても満足できるものではなく、未だ前記した技術的課題を解決するに至っていない。
【０００８】
また、前記したホースの引き上げ速度、引き下げ速度についても、より高い洗浄効果を得る速度についての検討がなされておらず、作業者の経験によるところが多かった。
【００１０】
本発明は、前記技術的課題を解決するためになされたものであり、作業者の労力を軽減すると共に、ホースの引き上げ速度、引き下げ速度をほぼ一定に行うことのできるホース引上げ装置を提供することを目的とする。
また、本発明は、前記技術的課題を解決するためになされたものであり、作業者の労力を軽減すると共に、より洗浄効果を得ることができる排水管洗浄装置、排水管の洗浄方法を提供することを目的とする。
【００１１】
【課題を解決するための手段】
前記技術的課題を解決するためになされた本発明にかかるホース引上げ装置は、ビル形式の集合住宅等における排水管の洗浄に用いられるホース引上げ装置であって、ホースが１回もしくは複数回、巻回されるドラムと、前記ドラムを正転、逆転させると共に、ほぼ一定の速度で回転させるモータとを備え、前記ドラムと前記ドラムに巻回されたホースとの間の摩擦力によって前記ホースが落下することなく、前記モータの駆動力によって前記ホースを引き上げることを特徴としている。
【００１２】
このように、前記ドラムと前記ドラムに巻回されたホースとの間の摩擦力によってホースが落下することなく、ホースを引き上げるように構成されているため、作業者の労力は軽減され、しかも一定の速度で引き上げることができるため、排水管の良好な洗浄を行うことができる。また、前記ドラムが正転、逆転可能に構成されているため、ホースを引き上げることのみならず、一定の速度で引き下げることもできる。
【００１３】
また、前記技術的課題を解決するためになされた本発明にかかるホース引上げ装置は、ビル形式の集合住宅等における排水管の洗浄に用いられるホース引上げ装置であって、基台と、前記基台の前端部に取り付けられた第１のローラと、前記基台の上面に設けられた回転可能に軸支されたドラムと、前記ドラムに接続し、前記ドラムを正逆回転可能に、かつ所定の速度で回転させるモータと、前記基台の後端部に取り付けられた第２のローラとを備えることを特徴としている。
このように、第１のローラと第２のローラが基台の前端部、後端部に設けられているため、ホースが重なり合うことなく、ドラムに対してホースを１回もしくは複数回、巻回することができる。
【００１４】
また、前記第１、２のローラは、周面が凹曲面あるいはＶ字形状の面に形成されたローラ本体と、前記ローラ本体を軸支する軸支部材と、前記軸支部材が設けられた基体と、前記基体を基台に固定する固定部材と、前記ローラ本体の前方に突出したホース位置規制部材とを備えていることが望ましい。
このように、周面が凹曲面あるいはＶ字形状の面に形成されたローラ本体、及び前記ローラ本体の前方に突出したホース位置規制部材を備えているため、前記ローラ本体からホースが外れることがなく位置が規制され、ドラムに対して、適正な巻回を行うことができる。
【００１５】
ここで、ホースの先端に回転可能なノズル本体が装着され、前記ノズル本体が２０ｍｍ／秒乃至１００ｍｍ／秒の範囲の速度をもって、引上げられるようになすことが、より高い洗浄効果を得るために望ましい。
【００１６】
また、前記技術的課題を解決するためになされた本発明にかかる排水管洗浄装置は、前記したホース引上げ装置を用いた排水管洗浄装置であって、ホース引上げ装置により引上げられるホースと、前記ホースの先端に装着された高圧水を噴射するノズル本体とを備えたことを特徴としている。
このように、ホース引上げ装置によりホースを引上げられるため、作業者に多大な労力をかけることなく、ノズル本体を所定の速度で移動させることができる。
【００１７】
また、前記技術的課題を解決するためになされた本発明にかかる排水管洗浄装置は、前記したホース引上げ装置を用いた排水管洗浄装置であって、ホースの先端に装着された、回転しながら高圧水を噴射するノズル本体と、前記ノズル本体が一端に接続されるロータリージョイントと、高圧水をノズル本体に供給すると共に、ホース引上げ装置により引上げられるホースとを備え、ホースの先端に装着されたノズル本体が９０ｒｐｍ乃至３００ｒｐｍの範囲で回転可能に構成されると共に、前記ホース引上げ装置によりノズル本体が２０ｍｍ／秒乃至１００ｍｍ／秒の範囲で移動可能に構成されていることを特徴としている。
このように、ホース引上げ装置によりホースを引上げられるため、作業者に多大な労力をかけることなく、ノズル本体を所定の速度で移動させることができる。しかも、前記したようなズル本体の回転数、ノズル本体の移動速度である場合、固形物が螺旋状に残存することがなく、より完全に固形物を除去することができる。
【００１８】
また、前記技術的課題を解決するためになされた本発明にかかる排水管洗浄方法は、ホースの先端に装着されたノズル本体を９０ｒｐｍ乃至３００ｒｐｍの範囲で回転させると共に、前記ホース引上げ装置によってノズル本体を２０ｍｍ／秒乃至１００ｍｍ／秒の範囲で移動させながら、ノズル本体から高圧水を噴射し、排水管を洗浄することを特徴としている。
前記したように、ホース引上げ装置によりホースを引上げられるため、作業者に多大な労力をかけることなく、ノズル本体を所定の速度で移動させることができる。しかも、前記したようなズル本体の回転数、ノズル本体の移動速度である場合、固形物が螺旋状に残存することがなく、より完全に固形物を除去することができる。
【００２１】
【発明の実施の形態】
以下、本発明の実施形態を図面と共に説明する。
図１は、本発明にかかるホース引上げ装置の実施形態を示す図であり、図２は、図１に示したホース引上げ装置のローラ部を示す平面図である。なお、図７、図８に示す部材と同一あるいは相当する部材は、同一符号を付する。
図１において、符号４は基台であって、その前端部４ａには前方向に突出して第１のローラ５が取り付けられている。また、前記基台４の前部に上面には、ドラム６が回転可能に軸支され、前記ドラム６の回転軸はモータ７の回転軸と接続されている。また、前記後端部４ｃは、前記ドラム６が取り付けられた上面４ｂよりも、一段高く形成され、その後端部４ｃには上向に突出した第２のローラ８が取り付けられている。なお、基台４の下には、基台４の移動を容易ならしめるため、キャスター９が設けられている。
【００２２】
前記第１のローラ５について図２に基づいて更に詳しく述べると、第１のローラ５はローラ本体５ａと、前記ローラ本体５ａを軸支する軸支部材５ｂと、軸支部材５ｂが取り付けられた基体５ｃと、前記基体５ｃを基台４ａに固定する固定部材５ｄと、前記基体５ｃに一端が固定され、他端がローラ本体５ａの前方に突出した一対の位置規制部材５ｅとから構成されている。
前記第１のローラ５のローラ本体５ａは、その周面が凹曲面あるいはＶ字形状の面に形成されている。そのため、ホース２がローラ本体５ａの周面から外れ難い。またローラ本体５ａの前方に突出した一対の位置規制部材５ｅが設けられ、この位置規制部材５ｅ間にホース２を配することにより、ホース２の乱れが防止される。その結果、ホース２は前記ローラ本体５ａの適正な位置に接触する。
【００２３】
また、前記固定部材５ｄは、ねじ部５ｄ１と押え部５ｄ２からなり、ねじ部５ｄ１によって押え部５ｄ２を移動させ、押え部５ｄ２で基台４ａを押えることにより、基体５ｃを固定するように構成されている。したがって、ねじ部５ｄ１を緩めることによって、基体５ｃは基台４の前端部４ａ上を移動することができ、第１のローラ５を適正な位置に配置することができる。また、前記基台４の前部に上面に回転可能に軸支されたドラム６には、ホース２が一回転、あるいは複数回転、具体的には２〜５回転程度巻き付けられる。このホース２とドラム６との間の摩擦力によって、前記ホースは落下することなく、ほぼ一定の速度をもって、引き上げられ、また引き下げられる。このように、ドラム６はホース２のすべてを巻き取るものでないため、その両端部に形成される鍔部６ａは高さの低いもので足りる。
【００２４】
更に、前記ドラム６と接続され、前記ドラム６を回転させるモータ７は、図示しない制御装置によって、正転、逆転可能、及び速度調整に構成されている。
このように、ドラム６が正転、逆転可能に構成されているため、ほぼ一定の速度をもって、ホース２の引き上げ、引き下げ作業を行うことができる。また、ドラム６の回転速度が調節可能に構成されているため、排水管３の汚れに応じた引き上げ、引き下げ速度を選択でき、能率的に作業を行うことができる。また洗浄終了後にあっては、洗浄時よりも早い速度でホース２を引き上げることができる。
【００２５】
また、電源を切った際、ホース２の重量によってドラム６が回転しないように電磁ブレーキ（図示せず）が装着されている。その結果、電源を切った際、ホース２の重量によってドラム６が回転し、ホース２が落下するという事故を防止することができる。
また、前記後端部４ｃに設けられた第２のローラ８の構成は、前記した第１のローラ５の構成と同一である。ただし、前記ローラ本体８ａが後端部４ｃの上方に位置し、ホース２の位置を規制する一対の位置規制部材８ｅ上方に向けて形成されている点が異なる。
【００２６】
なお、本発明にかかるホース引上げ装置の上記実施形態にあっては、ホースは排水管側から第１のローラ、ドラム、第２のローラの順で掛けられる場合について説明したが、例えば、排水管の途中に設けられた開口部のようにある程度の高さを有する場合には、排水管側から第２のローラ、ドラム、第１のローラの順でホースを掛けて使用しても良い。
【００２７】
次に、図３及び図４に基づいて、排水管の途中からホースを管内部に挿入する際、用いられる汚水飛散防止具について説明する。
図中、符号１０は基体であって、その中央部にはホース２が挿通するための上端部が開放した開口部１０ａが形成され、また、その裏側面には切り込み線１１ａが設けられたゴム製の板部材１１が取り付けられている。
また、基体１０の両側面（表裏面の両面）にローラ１２、１３が回転可能に軸支されている。
このように構成された汚水飛散防止具を排水管３の開口部３ｂに取り付けると、前記開口部３ｂは基体１０及びゴム製の板部材１１によって閉じられる。また、前記ゴム製の板部材１１は、開口部１０ａを閉塞するように、基体１０の裏側面に配されたローラ１３を上から覆うため、汚水は図３に矢印で示すように、ローラ１３の上を覆っているゴム製の板部材１１の上面を流れる。
その結果、汚水が排水管３の外部に飛散することが抑制され、集合住宅の廊下等を汚すことがなく、また作業者が汚水によって濡れることもない。また、ホース２は排水管３の開口部３ｂの縁部３ｃと直接接することがなく、ローラ１２、１３の周面と接するため、ホースの損傷は極力抑制される。
【００２８】
次に、図５、６に基づいて、排水管洗浄装置における、ホースの先端に装着されるノズル本体２２、ロータリージョイント２３の構成について説明する。
図５に示すように、ノズル本体２２は、高圧水が流れる複数に分岐した流路２２ｃと、複数に分岐した流路２２ｃに対応した複数の噴射口２２ｄが設けられた第１の本体２２ａと、前記第１の本体２２ａの上面に取り付けられる第２の本体２２ｂとから構成されている。
この第２の本体２２ｂは、螺子２４を第１、２の本体の螺子部２ｅに螺合させることにより、第１の本体２２ａに固定される。
【００２９】
また、この複数の噴射口２２ｄは、図６に示すように、ノズル本体２２の中心（回転中心Ｏ）からずれた位置に設けられているため、複数の噴射口２２ｄ（図４では４つの噴射口２２ｄを図示）から高圧水が噴射することによって、ノズル本体２２に回転力が生ずるように構成されている。
即ち、その流路２２ｃの出口である噴射口２２ｄ（の中心線）は、第１の本体２２ａの中心Ｏから距離Ｌずれた位置に形成されている。
【００３０】
よって、図６に示すように、４つの噴射口２２ｄから高圧水の噴射力Ｆ1 、Ｆ2 Ｆ1 、Ｆ2 、Ｆ3 、Ｆ4 の反力として、ノズル２はｆ1 、ｆ2 、ｆ3 、ｆ4 を受ける。この反力ｆ1 、ｆ2 、ｆ3 、ｆ4 は、ノズル２の中心Ｏ（回転中心）に対して、Ｌ（ｆ1 ＋ｆ2 ＋ｆ3 ＋ｆ4 ）の回転モーメントとして働くため、ノズル本体２２に回転力が生じ、ノズル本体２２は回転する。
【００３１】
また、ノズル本体２２から噴射される高圧水の圧力が、８０ｋｇ／ｃｍ2 〜１５０ｋｇ／ｃｍ2 の範囲になるように調整される。この調整は、図示しない高圧水発生装置によって行なわれる。
前記した８０ｋｇ／ｃｍ2 未満の圧力ではノズルを回転させることができず、１５０ｋｇ／ｃｍ2 を越える圧力では高回転になり、洗浄効果が得られないためである。より好ましくは、その圧力が１００ｋｇ／ｃｍ2 〜１３０ｋｇ／ｃｍ2 に調整されていることが望ましい。
【００３２】
また、第１の本体２２ａに設けられた流路２２ｃは、第２の本体２２ｂ方向に延設され、第１の本体２２ａの下端面から上方３０〜６０度方向に延設され、噴射口２２ｄから噴射される高圧水が、水平な面に対して３０度乃至６０度の角度θをもって、噴射するように形成されている（図６参照）。
【００３３】
また、前記したように第１の本体２２ａと第２の本体２２ｂは螺子２４によって一体的に構成され、第１の本体２２ａに形成された螺子部２２ｅを介してロータリージョイント２３の回転軸２３ａに取り付けられている。
また、ロータリージョイント２３は、ノズル本体２２が取り付けられると共に、その中心部分に流路２３ｂが形成されている回転軸２３ａと、前記回転軸２３ａを収納する第１のケース本体２３ｃと、前記第１のケース本体２３ｃと回転軸２３ａとの間に介装され、前記回転軸２３ａを保持するボールベアリング２３ｄ、２３ｅ、２３ｆと、前記回転軸２３ａを回転可能に保持する第２のケース本体２３ｇと、前記第２のケース本体２３ｇを第１のケース本体２３ｃに固定する螺子２３ｈと、前記回転軸２３ａを収納する第１のケース本体２３ｃと回転軸２３ａとの間に介装され、前記回転軸２３ａに所定の負荷を加えるブレーキ機構２３ｉとを備えている。
【００３４】
また、第２のケース本体２３ｇの上端部には、螺子部２３ｊが形成され、ホースジョイント２１が接続されるように形成されている。このホースジョイント２１はホース２をロータリージョイント２３に接続するもので、前記ホースジョイント２１の後端部にホース２が接続されている。
また前記第２のケース本体２３ｇの中心部分には流路２３ｋが形成れ、ホース２、流路２３ｋ、流路２３ｂ、流路２２ｃを通して、噴射口２２ｄから高圧水が噴射するように構成されている。
【００３５】
また、ブレーキ機構２３ｉは円筒形状をなし、その外周側面に金属棒２３ｌが第１のケース本体２３ｃの内壁に摺動するように埋設されている。このように金属棒２３ｌが第１のケース本体２３ｃの内壁を摺動するように埋設されているため、前記回転軸２３ａの回転に対して、所定の負荷が加えられる。
このブレーキ機構２３ｉは、回転軸２３ａに所定の負荷を加えることによって、ノズル２の回転を抑制するものである。
すなわち、ブレーキ機構２３ｉによって、前記した噴射される高圧水の圧力が、８０ｋｇ／ｃｍ2 〜１５０ｋｇ／ｃｍ2 の場合には、ノズル本体２２の回転数が、９０ｒｐｍ〜３００ｒｐｍになされる。
【００３６】
なお、符号２３ｍはドレインであって、ノズル２２の噴射口２２ｅが目づまりを起こした場合になどにおいて、前記ドレイン２３ｍから高圧水が排出されるように構成されている。
【００３７】
次に、前記したノズル本体２２等が装着された排水管洗浄装置を用いた排水管を洗浄する方法について、図１に基づいて説明する。まず、該ホース引上げ装置をビルの屋上Ａに設置する。設置後、ホース２を一対の位置規制部材８ｅ間を通し、ローラ本体８ａの周面上におき、ドラム６に一回転、あるいは数回転巻き付ける。このとき、巻き付けたホース２が重なり合わないようにドラム６に巻き付ける必要がある。重なりあってドラムに巻き付けられると、ドラム６の周面とホース２との間の所定の摩擦力を得ることができず、ホース２の引き上げ、あるいは引き下げができなくなるためである。また、ドラム６に巻き付けられたホース２は、位置規制部材５ｅ間に配され位置規制されと共に、基台４の前端部４ａに取り付けられた第２のローラ５に接するように配される。
【００３８】
その後、排水管３の上端部の開口部３ａから、先端に高圧の水あるいは温水を噴射するノズル本体２２が取り付けられたホース２を入れ、ビルの屋上Ａから該排水管３の最下部まで降ろす。このときドラム６の回転にしたがって、ホース２は下降するが、洗浄作業を行わないため、ドラム６の回転を早め、最下部まで早い速度で降ろす。
このとき、ホース２の一端部は作業者によって保持され、順次、第２のローラ本体８ａにホース２を供給すると共に、前記ホース２がローラ本体８ａから外れないようにする。
【００３９】
その後、挿入元側（排水管Ａ上部口側）にノズル本体２２を引上げながら、前記ノズル本体２２より高圧水を噴射し、固形物を連続的に除去する。このときのノズル本体２２から噴射される高圧水は、８０ｋｇ／ｃｍ2 〜１５０ｋｇ／ｃｍ2 の圧力をもって噴射され、このときのノズル本体２２は、９０ｒｐｍ〜３００ｒｐｍで回転する。
【００４０】
引き上げる際、前記モータ７の回転を逆転させ、かつその速度も遅くなるように調節する。この引き上げ速度が速すぎる場合には、配水管内部に螺旋状に固形物が残存し、固形物の除去を十分に行えない。そのため具体的には、２０ｍｍ／秒〜１００ｍｍ／秒の速度で引上げる。
このホース２の引上げ力は主として、モータの駆動力によるものであって、引き上げ速度はドラム６の回転速度による。したがって、作業者は位置規制部材８ｅを通過したホース２を保持するが、これは引き上げられたホース２がローラ本体８ｅから外れないようにするためであり、また引き上げられたホース２の整理のためである。
【００４１】
なお、ホース２の自重（ホース２の落下する力）が、ドラム６に巻き付けられたホース２とドラム６の摩擦力よりも大きいときには、作業者の力を加えることによってホース２を引上げる。この場合であっても、労力は、従来の引き上げ作業に比べて軽減される。
【００４２】
なお、より完全に固形物を除去するために、ノズル本体の噴射口が２つの場合には、ノズル本体の回転数が１２０ｒｐｍ乃至３００ｒｐｍであって、かつノズル本体の移動速度が２０ｍｍ／秒乃至５０ｍｍ／秒であることが望ましく、ノズル本体の噴射口が４つの場合には、ノズル本体の回転数が９０ｒｐｍ乃至３００ｒｐｍであって、かつノズル本体の移動速度が３０ｍｍ／秒乃至１００ｍｍ／秒であることが望ましい。
特に、前記したようにノズル本体２２の引上げ速度ｖ（ｍｍ／秒）と回転数ω（ｒｐｍ）との関係（ｖ／ω）が、ノズル本体２２の噴射口が２つの場合には、ｖ／ω＝１／６、ノズル本体２２の噴射口が４つの場合には、ｖ／ω＝１／３とすることにより、排水管内部に付着した固形物を残存させることなく、より完全に除去できる。
【００４３】
そして、特に汚れがびどい部分は、その部分でノズル本体２２を上下動させ、最終的にノズル本体２２を屋上近傍まで引き上げる。
そして、ノズル１がビルの屋上Ａ近傍まで引き上げられたら、前記モータ７の回転を反転させて、ノズル１から高圧の前記水、あるいは温水を噴射しながら、ホース２を一定速度で降下させる（引き下げる）。この降下（引き下げ）速度も引き上げ速度と同じ速度で行われる。そして、排水管３の最下部まで洗浄状態を維持しつつ、ノズル１が最下部まで降されたら、洗浄を終了する。
洗浄終了後、ホース２を引き上げ作業を終了する。このときのホース２は早い速度で引き上げるのが、作業能率向上のため望ましい。
なお、ホース２のドラム６に巻き付ける回数は、降下させるホースの長さが長くなるにつれて、多くする。即ち、ホース２の重量が増加するため、その分ドラム６とホース２の摩擦力を多くするためである。
【００４４】
なお、上記実施形態にあっては、ノズル本体が回転する場合について説明したが、ノズル本体が回転しない場合にも当然に適用することができる。しかし、より高い洗浄効果を得たい場合には、ノズル本体を上記した所定の回転数をもって回転させるのが好ましい。
【００４５】
【発明の効果】
以上のように、本発明にかかるホース引上げ装置によれば、作業者の労力を軽減すると共に、ホースの引き上げ速度、引き下げ速度をほぼ一定に行うことがき、良好な洗浄を行うことができる。
また、本発明にかかる排水管洗浄装置、排水管の洗浄方法によれば、作業者の労力を軽減すると共に、より高い洗浄効果を得ることができる。
更に、本発明にかかる汚水飛散防止具によれば、排水管の途中の開口部から前記ホースを排水管内部に入れる場合にも、汚水の外部への漏れを極力少なくすることができ、またホースの損傷を極力抑制することができる。
【図面の簡単な説明】
【図１】  図１は、本発明の実施形態にかかるホース引上げ装置の概略斜視図である。
【図２】  図２は、図１に示す第１のローラの概略構成図である。
【図３】  図３は、本発明の実施形態にかかる汚水飛散防止具の側面図である。
【図４】  図４は、図３に示す汚水飛散防止具の正面図である。
【図５】  図５は、ホースの先端に装着されるノズル本体、ロータリージョイントを示す断面図である。
【図６】  図６は、図５に示すノズル本体を示す図であって、（ａ）は側面図、（ｂ）は底面図である。
【図７】  図７は、高圧洗浄法を説明するための概略図である。
【図１】
0003694243.tif 000002
【図２】
0003694243.tif 000003
【図３】
0003694243.tif 000004
【図４】
0003694243.tif 000005
【図５】
0003694243.tif 000006
【図６】
0003694243.tif 000007
【図７】
0003694243.tif 000008